(57)【特許請求の範囲】
【請求項１】
内視鏡挿入部の外周軸方向に沿わせて配設する留置チューブ、または前記留置チューブをガイドするためのガイド部材の先端部を前記内視鏡挿入部の先端部側に着脱自在に固定保持するために、前記内視鏡挿入部の先端部に対して着脱自在に設ける固定具を具備することを特徴とする内視鏡装置。
【請求項２】
体腔内に挿入される細長な挿入部を有する内視鏡と、
前記挿入部の外周軸方向に沿わせて配設する留置チューブ、または前記留置チューブをガイドするためのガイド部材の先端部を前記挿入部の先端部側に着脱自在に固定保持するために前記挿入部の先端部に設けた固定具と、
を具備することを特徴とする内視鏡装置。
【発明の詳細な説明】
【０００１】
【発明の属する技術分野】
本発明は、内視鏡装置に関する。
【０００２】
【従来の技術】
一般に、医療用等に用いられる内視鏡は、生体体腔内の小手術や生体組織の検査等を行なうことができる。
【０００３】
従来、内視鏡は、挿入部の内部に設けられた処置具挿通用チャンネルを介して留置チューブやガイドワイヤ等のガイド部材を体腔内へ導き、体腔内へ留置したりしている。
また、特開平１１−１９２２０３号公報に記載されている内視鏡では、挿入部先端部側に内視鏡とは別体のものとして、必要により外付けチャンネルを装着固定して設け、この外付けチャンネルを介して処置具等を体腔内に挿入可能にしている。
【０００４】
【発明が解決しようとする課題】
しかしながら、従来の内視鏡では、体腔内に留置チューブを留置する際、体腔内に挿入した内視鏡挿入部の処置具挿通用チャンネルを介してガイドワイヤを挿通し、このガイドワイヤを介して体腔内の目的部位まで留置チューブを導き、留置チューブを目的部位に留置している。そして、留置チューブを留置した後、内視鏡を抜去する場合、ガイドワイヤや留置チューブの長さが内視鏡挿入部の長さの２倍以上必要になり、留置操作する上で繁雑であった。
この煩雑さは、特開平１１−１９２２０３号公報に記載されている内視鏡でも同様であった。
【０００５】
また、従来の内視鏡や特開平１１−１９２２０３号公報に記載されている内視鏡では、上記処置具挿通用チャンネルの内径と同等かあるいはこれより径の大きい留置チューブを上記処置具挿通用チャンネルに挿通させることができない。このため、上記内視鏡は、上記処置具挿通用チャンネルの内径より太い径を有する留置チューブを留置する場合、ガイドワイヤを留置したまま内視鏡挿入部を体外に抜去し、留置したガイドワイヤに沿って留置チューブを体腔内の目的部位まで導いていた。しかしながらこのような操作では、留置チューブの留置が完了するまで繁雑な作業が必要であった。また、この場合、内視鏡挿入部を抜去したままの状態で留置チューブを体腔内の目的部位まで導くことになり、内視鏡観察下で上記留置操作を行なうことができず、留置操作する上で繁雑であった。
【０００６】
本発明は、これらの事情に鑑みてなされたものであり、体腔内に留置チューブ又はこの留置チューブをガイドするためのガイド部材を留置する際に、操作性良く、簡便に留置操作を行なうことが可能な内視鏡装置を提供することを目的とする。
【０００７】
【課題を解決するための手段】
本発明は目的を達成するために、内視鏡挿入部の外周軸方向に沿わせて配設する留置チューブ、または留置チューブをガイドするためのガイド部材の先端部を内視鏡挿入部の先端部側に着脱自在に固定保持するために、内視鏡挿入部の先端部に対して着脱自在に設ける固定具を具備することを特徴とする内視鏡装置を提供する。
また本発明は目的を達成するために、体腔内に挿入される細長な挿入部を有する内視鏡と、挿入部の外周軸方向に沿わせて配設する留置チューブ、または留置チューブをガイドするためのガイド部材の先端部を挿入部の先端部側に着脱自在に固定保持するために挿入部の先端部に設けた固定具と、を具備することを特徴とする内視鏡装置を提供する。
【０００８】
【発明の実施の形態】
以下、図面を参照して本発明の実施の形態を説明する。
（第１の実施の形態）
図１ないし図８は本発明の第１の実施の形態に係る図である。図１は本発明の第１の実施の形態の内視鏡装置の全体構成を示す全体構成図である。図２は図１の内視鏡挿入部の先端部側を示す斜視図である。図３は図２の内視鏡挿入部の先端部に装着するガイドカテーテル固定具を示す説明図であり、図３（ａ）はガイドカテーテル固定具の斜視図、図３（ｂ）は図３（ａ）の断面図である。図４は図３（ｂ）のガイドカテーテル固定保持部の先端側に形成した縮径部が貫通するように構成したガイドカテーテル固定具の断面図である。図５は本発明の第１の実施の形態の留置チューブの留置方法を説明する説明図であり、図５（ａ）は内視鏡挿入部の先端部に装着したガイドカテーテル固定具にガイドカテーテルの先端部を固定保持している際の説明図、図５（ｂ）は図５（ａ）の状態からガイドカテーテルの先端部をガイドカテーテル固定具のガイドカテーテル固定保持部から外した際の説明図、図５（ｃ）は図５（ｂ）の状態からガイドカテーテル内にガイドワイヤを挿入しガイドカテーテルの先端からガイドワイヤを突出させた際の説明図、図５（ｄ）は図５（ｃ）の状態からガイドカテーテルのみを体腔内から抜去した際の説明図、図５（ｅ）は図５（ｄ）の状態からガイドワイヤの先端を目的部位に到達させた後、このガイドワイヤに沿わせて留置チューブを目的部位まで挿入している際の説明図である。図６は図３の他の変形例を示すガイドカテーテル固定具の説明図であり、図６（ａ）は図３（ａ）のガイドカテーテル固定具に縮径形状部を形成した達磨形状のガイドカテーテル固定具の斜視図、図６（ｂ）は図６（ａ）の断面図である。図７は図６の変形例を示すガイドカテーテル固定具の説明図であり、図７（ａ）は図６（ａ）のガイドカテーテル固定具にテーパ部を形成して、先端方向に向かってテーパ状に縮径したガイドカテーテル固定具の斜視図、図７（ｂ）は図７（ａ）の断面図である。図８は図７の変形例を示すガイドカテーテル固定具の説明図であり、図８（ａ）は図７（ａ）のガイドカテーテル固定具の後端部に延出する舌状部を設けたガイドカテーテル固定具の斜視図、図８（ｂ）は図８（ａ）の断面図である。
【０００９】
図１に示すように本発明の第１の実施の形態を備えた内視鏡装置１は、撮像装置として図示しない撮像手段を有する電子内視鏡（単に内視鏡）２と、この内視鏡２に照明光を供給する光源装置３と、前記内視鏡２で得た画像信号に対して信号処理を行なうビデオプロセッサ４と、このビデオプロセッサ４から出力される映像信号を受けて内視鏡画像を表示するモニタ５とで主に構成されている。尚、前記ビデオプロセッサ４は、映像信号を記録再生するＶＴＲ６と、映像信号により被写体像を印字するビデオプリンタ７と、映像信号を記録する大容量の記憶装置であるビデオディスク８等が接続されるようになっている。
【００１０】
前記内視鏡２は、先端部に図示しない撮像手段を内臓し、観察対象の管腔内に挿入可能な細長で可撓性を有する挿入部１１と、この挿入部１１の基端側に折れ止め部１２を介して連結した保持部を兼ねる操作部１３と、この操作部１３の側部から延出し、端部にコネクタ部１４を有する可撓性のユニバーサルコード１５とから構成される。
前記挿入部１１は、先端から硬質の先端部２１と、この先端部２１の基端側に連設され湾曲自在に形成された湾曲部２２と、この湾曲部２２の基端側に連設された可撓性を有する可撓管部２３とで構成される。
【００１１】
前記操作部１３には、前記挿入部１１の湾曲部２２を遠隔操作で上下方向に湾曲させる上下湾曲操作ノブ２４ａと、同じく前記湾曲部２２を左右方向に湾曲させる左右湾曲操作ノブ２４ｂとが設けられている。これら上下操作ノブ２４ａと左右操作ノブ２４ｂとを同時に操作することで、前記湾曲部２２を上下左右の中間方向（ツイスト方向）へ湾曲させることも可能である。
また、前記操作部１３は、この前端付近に処置具挿入口２５が設けられている。この処置具挿入口２５は、操作部１３と挿入部１１、そして湾曲部２２内部に挿通配設された図示しない処置具挿通用チャンネルに連結している。この処置具挿入口２５から処置具挿通用チャンネルを経て処置具の先端側を前記挿入部１１の先端部２１の開口２６から突出可能となっている。また、前記操作部１３は、送気・送水操作を遠隔操作する送気送水ボタン２７ａ、吸引操作を遠隔操作する吸引ボタン２７ｂ及び画像静止ボタン、レリーズボタン、調光方法切り換えボタン等のビデオプロセッサ４の機能を遠隔操作する操作スイッチ２７ｃを設けている。
【００１２】
前記内視鏡２は、前記光源装置３から照明光が供給されるようになっている。前記光源装置３から供給された照明光は、内視鏡２内の図示しないライトガイドを経由して照明光学系２８から被写体を照明するようになっている。
照明された被写体像は、前記内視鏡挿入部１１の先端部２１に内蔵された対物光学系２９から取り込まれ、前記撮像手段で撮像されるようになっている。ビデオプロセッサ４は、前記内視鏡２の撮像手段からの撮像信号を図示しない信号処理回路で信号処理し、モニタ５に伝送して内視鏡画像を表示させるようになっている。
【００１３】
図２に示すように前記内視鏡２は、この内視鏡挿入部１１の外周軸方向に留置チューブやガイドワイヤ等のガイド部材を沿わせるようになっている。尚、図中では、ガイド部材としてガイドカテーテル３０を沿わせている。
【００１４】
本実施の形態では、前記内視鏡挿入部１１の外周軸方向に沿わせて配設する前記ガイド部材として前記ガイドカテーテル３０の先端部を前記内視鏡挿入部１１の先端部２１側に着脱自在に固定保持するために、前記内視鏡挿入部１１の先端部２１に対して着脱自在に設ける固定具を有するように構成する。
【００１５】
前記ガイドカテーテル３０の先端部を前記内視鏡挿入部１１の先端部２１側に対して着脱自在に固定保持するためのガイドカテーテル固定具３１ａは、略円筒状の弾性材料で形成されている。このガイドカテーテル固定具３１ａは、貫通孔である内視鏡先端取付孔３２に前記内視鏡挿入部１１の先端部２１を着脱自在に嵌着することで、この内視鏡挿入部１１の先端部２１に固定装着されるようになっている。
【００１６】
図３（ａ），（ｂ）に示すように前記内視鏡先端取付孔３２の内径は、前記内視鏡挿入部１１の先端部２１の外径より若干小さく形成されており、前記弾性材料の弾性変形により前記内視鏡挿入部１１の先端部２１に締め付け固定するようになっている。
【００１７】
前記ガイドカテーテル固定具３１ａは、固定保持手段としてガイドカテーテル固定保持部３３ａを設けている。このガイドカテーテル固定保持部３３ａは、前記ガイドカテーテル３０の先端部の外径より若干小さく形成されている穴部であり、前記内視鏡先端取付孔３２と同様に前記弾性材料の弾性変形により前記ガイドカテーテル３０の先端部を固定保持するようになっている。
【００１８】
また、ガイドカテーテル固定具は、図４に示すようなガイドカテーテル固定保持部３３ｂを形成して構成しても良い。
図４に示すようにガイドカテーテル固定具３１ｂは、ガイドカテーテル固定保持部３３ｂの先端側に縮径部３４を形成し、この縮径部３４が貫通するように構成している。この場合、このガイドカテーテル固定具３１ｂは、前記ガイドカテーテル固定保持部３３ｂから前記ガイドカテーテル３０を外す前に、後述するガイドワイヤを前記縮径部３４に挿入固定することができるようになっている。
【００１９】
また、ガイドカテーテル固定具は、図６に示すような構成のものでも良い。
図６（ａ），（ｂ）に示すように、ガイドカテーテル固定具３１ｃはガイドカテーテル固定保持部３３ｃ部分に向かって縮径形状部３５を形成している。これにより、ガイドカテーテル固定具３１ｃは、前記内視鏡挿入部１１の先端部２１に着脱自在に装着したとき、挿入部先端の外径を小さく抑えることができ、体腔内への挿入もより容易になる。
【００２０】
また、ガイドカテーテル固定具は、図７に示すような構成のものでも良い。
図７（ａ），（ｂ）に示すように、ガイドカテーテル固定具３１ｄは前記ガイドカテーテル固定具３１ｃと同様に縮径形状部３５を形成している。更にガイドカテーテル固定具３１ｄはガイドカテーテル固定保持部３３ｄ部分にテーパ部３６を形成して、先端方向に向かってテーパ状に縮径して構成されている。これにより、ガイドカテーテル固定具３１ｄは、前記内視鏡挿入部１１の先端部２１に着脱自在に装着したとき、前記ガイドカテーテル固定具３１ｃよりも挿入性が容易となる。
【００２１】
更に、ガイドカテーテル固定具は、図８に示すような構成のものでも良い。
図８（ａ），（ｂ）に示すようにガイドカテーテル固定具３１ｅは、前記ガイドカテーテル固定具３１ｄと同様な形状で、更に、後端部に延出する舌状部３７を設けて構成されている。これにより、ガイドカテーテル固定具３１ｅは、前記内視鏡挿入部１１の先端部２１に着脱自在に装着し、更に前記舌状部３７を図示しない医療用テープ等で固定することで前記内視鏡挿入部１１の先端部２１に対してより強固に固定することができる。
【００２２】
尚、上述したガイドカテーテル固定具３１ａ〜３１ｅは、これらガイドカテーテル固定保持部３３ａ〜３３ｅ部分の弾性変形による締め付け固定に限られるものではなく、固定保持手段として粘着性を有する粘着部材で形成し、この粘着部材の粘着力により前記ガイドカテーテル３０を固定保持するように構成しても良い。
【００２３】
また、後述するようにガイドカテーテル固定具３１ａ〜３１ｅは、前記ガイドカテーテル３０を固定保持した状態で内視鏡挿入部１１と共に体腔内に挿入された後、前記ガイドカテーテル３０の手元側を引っ張ることにより、このガイドカテーテル３０の先端部の固定保持が容易に解除されて、脱着できるものであれば良い。
【００２４】
このように構成されたガイドカテーテル固定具３１ａ〜３１ｅを前記内視鏡挿入部１１の先端部２１に着脱自在に装着して構成した内視鏡装置１を用いて、留置チューブを留置する留置チューブの留置方法について図５を用いて説明する。尚、ここでは、図２，図３を用いて説明したガイドカテーテル固定具３１ａを用いて説明する。
先ず、ガイドカテーテル固定具３１ａは、内視鏡先端取付孔３２に前記内視鏡挿入部１１の先端部２１を着脱自在に嵌着することで、この内視鏡挿入部１１の先端部２１に固定装着される。
【００２５】
そして、ガイドカテーテル３０を内視鏡挿入部１１の外周軸方向に沿わせて、図５（ａ）に示すように、ガイドカテーテル固定具３１ａのガイドカテーテル固定保持部３３ａにガイドカテーテル３０の先端部を挿入して固定保持する。そして、ガイドカテーテル３０の先端部を固定保持した状態で内視鏡挿入部１１を体腔内に挿入する。内視鏡挿入部１１が体腔内の目的部位まで到達したら、ガイドカテーテル３０を手元側に引っ張り、図５（ｂ）に示すようにガイドカテーテル３０の先端部をガイドカテーテル固定具３１ａのガイドカテーテル固定保持部３３ａから外す。
【００２６】
ガイドカテーテル固定具３１ａのガイドカテーテル固定保持部３３ａからガイドカテーテル３０の先端部を外した状態で、図５（ｃ）に示すようにガイドカテーテル３０内にガイドワイヤ４１を挿入しガイドカテーテル３０の先端からガイドワイヤ４１を突出させる。そして、図５（ｄ）に示すようにガイドカテーテル３０を体腔内から抜去する一方、ガイドワイヤ４１の先端を目的部位に到達させる。
【００２７】
次に、図５（ｅ）に示すようにこのガイドワイヤ４１に沿わせて留置チューブ４２を体腔外から目的部位まで挿入して目的部位に到達させる。この留置チューブ４２を体腔内の目的部位に留置し、その後、内視鏡挿入部１１を体腔内から抜去することで、留置チューブ４２の留置が完了する。尚、留置チューブ４２の挿入位置は、内視鏡２の図示しない撮像手段で撮像されて得た内視鏡画像によって確認することができる。
【００２８】
この結果、本実施の形態は、留置チューブ４２の留置を行なう過程で、内視鏡を抜去しなくても、内視鏡２の処置具挿通用チャンネル内径より太い留置チューブ４２を留置できるので操作性が良い。また、本実施の形態は、留置チューブ４２の留置を行なう途中で、内視鏡２を抜去していないので、留置チューブの位置を内視鏡画像により確認することができ、正確な位置に留置チューブ４２を留置することができる。
【００２９】
尚、上述した留置チューブ４２の留置方法は、ガイドワイヤ４１、ガイドカテーテル３０等を使用せず、直接留置チューブ４２先端を固定保持する固定具を用いて構成するようにしても良い。
【００３０】
また、本実施の形態では、図示しない撮像手段を内視鏡挿入部１１の先端部２１に内蔵した電子内視鏡に本発明を適用しているが、本発明はこれに限定されず、照明された被写体像を先端部に内蔵した対物光学系で取り込み、この取り込んだ被写体像をイメージガイドバンドル等の伝達手段により接眼部に伝達する光学式内視鏡に本発明を適用しても当然良いし、内視鏡先端部に絶縁カバーを装着したものでも良い。
【００３１】
（第２の実施の形態）
図９ないし図１１は本発明の第２の実施の形態に係り、図９は本発明の第２の実施の形態を備えた内視鏡挿入部の先端部側を示す斜視図、図１０は図９の内視鏡挿入部の先端部に装着するカテーテル固定具を示す説明図であり、図１０（ａ）はカテーテル固定具の斜視図、図１０（ｂ）は図１０（ａ）の断面図、図１１は留置チューブの留置方法を説明する内視鏡挿入部の先端部側を示す説明図である。
【００３２】
上記第１の実施の形態は、前記内視鏡挿入部１１の外周軸方向に沿わせて配設するガイドカテーテル３０の先端部を前記内視鏡挿入部１１の先端部２１側に着脱自在に固定保持するために、前記内視鏡挿入部１１の先端部２１に対して着脱自在に設けるガイドカテーテル固定具３１ａを有するように構成しているが、本第２の実施の形態では前記内視鏡挿入部１１の外周軸方向に沿わせて配設するカテーテルの先端部を前記内視鏡挿入部１１の先端部２１側に着脱自在に固定保持するために、前記内視鏡挿入部１１の先端部２１に対して着脱自在に設ける固定具を有するように構成する。それ以外の構成は上記第１の実施の形態と同様なので説明を省略し、同じ構成には同じ符号を付して説明する。
【００３３】
即ち、図９に示すように前記内視鏡２は、この内視鏡挿入部１１の外周軸方向にカテーテル５０を沿わせるようになっている。  前記カテーテル５０の先端部を固定保持するためのカテーテル固定具５１は、前記ガイドカテーテル固定具３１ａとほぼ同様な略円筒状の弾性材料で形成されている。このカテーテル固定具５１は、貫通孔である内視鏡先端取付孔５２に前記内視鏡挿入部１１の先端部２１を着脱自在に嵌着することで、この内視鏡挿入部１１の先端部２１に固定装着されるようになっている。
【００３４】
図１０（ａ），（ｂ）に示すように前記内視鏡先端取付孔５２の内径は、前記内視鏡挿入部１１の先端部２１の外径より若干小さく形成されており、前記弾性材料の弾性変形により前記内視鏡挿入部１１の先端部２１に締め付け固定するようになっている。
【００３５】
前記カテーテル固定具５１は、固定保持手段としてカテーテル固定保持部５３を設けている。このカテーテル固定保持部５３は、前記カテーテル５０の外径より細径に形成され、更にくびれ部５４を有している穴部である。
前記カテーテル固定保持部５３は、前記弾性材料の弾性変形により前記カテーテル５０の先端部を弾性的に潰して挿入可能であり、前記くびれ部５４部分で更に前記カテーテル５０の先端部を弾性的に変形させ、前記カテーテル５０の先端部を固定保持するようになっている。尚、前記カテーテル固定具５１は、図６〜図８で説明した前記ガイドカテーテル固定具３１ｂ〜３１ｅと同様な構成であっても良い。
【００３６】
このように構成されたカテーテル固定具５１を前記内視鏡挿入部１１の先端部２１に着脱自在に装着して構成した内視鏡装置を用いて、カテーテル５０を留置するカテーテル５０の留置方法について説明する。
先ず、カテーテル固定具５１は、内視鏡先端取付孔５２に前記内視鏡挿入部１１の先端部２１を着脱自在に嵌着することで、この内視鏡挿入部１１の先端部２１に固定装着される。
【００３７】
そして、カテーテル５０を内視鏡挿入部１１の外周軸方向に沿わせて、カテーテル固定具５１のカテーテル固定保持部５３にカテーテル５０の先端部を挿入して固定保持する。そして、カテーテル５０の先端部を固定保持した状態で内視鏡挿入部１１を体腔内に挿入する。内視鏡挿入部１１が体腔内の目的部位まで到達したら、カテーテル５０を手元側に引っ張り、このカテーテル５０の先端部をカテーテル固定具５１のカテーテル固定保持部５３から外し、目的部位に到達させる。
【００３８】
このカテーテル５０を体腔内の目的部位に留置し、その後、内視鏡挿入部１１を体腔内から抜去することで、カテーテル５０の留置が完了する。尚、カテーテル５０の挿入位置は、内視鏡２の図示しない撮像手段で撮像されて得た内視鏡画像によって確認することができる。
【００３９】
この結果、本第２の実施の形態は、上記第１の実施の形態と比べてガイドワイヤ４１を使用することなく直接カテーテル５０を留置できるので操作性が良い。
【００４０】
（第３の実施の形態）
図１２は本発明の第３の実施の形態に係るガイドワイヤの留置方法を説明する内視鏡の挿入部先端側を示す説明図であり、図１２（ａ）は内視鏡挿入部の先端部に粘着テープを巻き、この端部を一部出している際の説明図、図１２（ｂ）は図１２（ａ）の状態から一部出した粘着テープの粘着部にガイドワイヤの先端部を粘着させた際の説明図、図１２（ｃ）は図１２（ｂ）の状態から粘着テープの粘着部端部を折り返してガイドワイヤの先端部を固定保持している際の説明図、図１２（ｄ）は図１２（ｃ）の状態からガイドワイヤの先端部を粘着テープの粘着部から引き抜いて外した際の説明図である。
【００４１】
本第３の実施の形態では、固定具として粘着テープを用い、ガイド部材としての前記ガイドワイヤ４１の先端部を前記内視鏡挿入部１１の先端部２１側に着脱自在に固定保持するように構成する。それ以外の構成は上記第１の実施の形態と同様なので説明を省略し、同じ構成には同じ符号を付して説明する。
【００４２】
即ち、図１２に示すように前記内視鏡２は、この内視鏡挿入部１１の外周軸方向にガイドワイヤ４１を沿わせ、このガイドワイヤ４１の先端部を固定保持するための固定具として医療用テープ等の粘着テープ５５を用いる。
【００４３】
次に、この粘着テープ５５を用いて、ガイドワイヤ４１を留置するガイドワイヤ４１の留置方法について説明する。
図１２（ａ）に示すように内視鏡挿入部１１の先端部２１に、先端側から見て反時計方向に粘着テープ５５を巻き、末端部を先端部２１に対して浮いた状態にしておく。この粘着テープ５５の末端部における粘着部５５ａに図１２（ｂ）に示すようにガイドワイヤ４１の先端部を粘着させる。そして、図１２（ｃ）に示すように粘着テープ５５の粘着部５５ａ端部を折り返してガイドワイヤ４１の先端部を固定する。このことにより、ガイドワイヤ４１の先端部は、内視鏡挿入部１１の先端部２１側に固定保持される。
【００４４】
そして、ガイドワイヤ４１の先端部を固定保持した状態で内視鏡挿入部１１を体腔内に挿入する。内視鏡挿入部１１が体腔内の目的部位まで到達したら、ガイドワイヤ４１を手元側に引っ張り、図１２（ｄ）に示すようにガイドワイヤ４１の先端部を粘着テープ５５の粘着部５５ａから引き抜いて外し、目的部位に到達させる。このガイドワイヤ４１を体腔内の目的部位に留置し、その後、内視鏡挿入部１１を体腔内から抜去することで、ガイドワイヤ４１の留置が完了する。
【００４５】
この結果、本第３の実施の形態は、上記第１の実施の形態と比べて長いガイドワイヤ４１を使用する必要がないので操作性が良い。
すなわち、あらかじめガイドカテーテルを体腔内に挿入しておき、その後にガイドワイヤを挿入する場合は、ガイドカテーテルを抜き去る際に、手元側（体腔外）でガイドワイヤも一緒に抜けないように押さえておく必要がある。手元側でガイドワイヤを押さえるためには、処置具挿入口２５より手元側に露出するガイドワイヤの寸法を、ガイドカテーテルの全長よりも長くすることが必要である。ガイドワイヤにそれだけの長さを付与すると、ガイドワイヤの取り回しが煩雑になってしまう。
また、上記第１、第２の実施の形態と比べて内視鏡挿入部１１の先端部２１に特別な固定具を準備する必要が無い。また、体腔内への挿入性が良く、更に、内視鏡挿入部１１の先端部２１の外径が異なるものにも対応可能である。
【００４６】
尚、本発明は、以上述べた実施形態のみに限定されるものではなく、発明の要旨を逸脱しない範囲で種々変形実施可能である。
【００４７】
［付記］
（付記項１）  内視鏡挿入部の外周軸方向に沿わせて配設する留置チューブ又はこの留置チューブをガイドするためのガイド部材の先端部を前記内視鏡挿入部の先端部側に着脱自在に固定保持するために、前記内視鏡挿入部の先端部に対して着脱自在に設ける固定具を有することを特徴とする内視鏡装置。
【００４８】
（付記項２）  体腔内に挿入される細長な挿入部を有する内視鏡と、
この内視鏡挿入部の外周軸方向に沿わせて配設する留置チューブ又はこの留置チューブをガイドするためのガイド部材の先端部を前記内視鏡挿入部の先端部側に着脱自在に固定保持するために前記内視鏡挿入部の先端部に設けた固定具と、
を具備したことを特徴とする内視鏡装置。
【００４９】
（付記項３）  体腔内に挿入される細長な内視鏡挿入部の先端部に、ガイドカテーテルの先端部を着脱自在に固定保持するガイドカテーテル固定具を装着し、前記内視鏡挿入部の外周軸方向に沿わせて前記ガイドカテーテルの先端部を前記ガイドカテーテル固定具に固定保持し、
前記ガイドカテーテルの先端部を固定保持した状態で前記内視鏡挿入部を体腔内に挿入して目的部位まで到達させ、
前記ガイドカテーテルの先端部を前記ガイドカテーテル固定具から外し、
前記ガイドカテーテル内にガイドワイヤを挿入し、このガイドワイヤ先端を前記ガイドカテーテル先端から突出させ、
前記ガイドカテーテルを体腔内から抜去する一方、前記ガイドワイヤ先端を目的部位に到達させ、
留置チューブを前記ガイドワイヤに沿わせて体腔外から目的部位まで挿入し、この留置チューブを体腔内の目的部位に留置し、その後、前記内視鏡挿入部を体腔内から抜去することを特徴とする留置チューブの留置方法。
【００５０】
（付記項４）  前記固定具は、弾性材料により形成していることを特徴とする付記項１に記載の内視鏡。
【００５１】
（付記項５）  前記固定具は、粘着性を有する粘着性部材で形成していることを特徴とする付記項１に記載の内視鏡。
【００５２】
（付記項６）  前記弾性材料は、シリコン、弾性エラストマ等であることを特徴とする付記項４に記載の内視鏡。
【００５３】
（付記項７）  前記固定具は、弾性材料により形成していることを特徴とする付記項２に記載の内視鏡装置。
【００５４】
（付記項８）  前記固定具は、粘着性を有する粘着性部材で形成していることを特徴とする付記項２に記載の内視鏡装置。
【００５５】
（付記項９）  前記弾性材料は、シリコン、弾性エラストマ等であることを特徴とする付記項７に記載の内視鏡装置。
【００５６】
【発明の効果】
以上説明したように本発明によれば、体腔内に留置チューブ又はこの留置チューブをガイドするためのガイド部材を留置する際、操作性良く、簡便に留置操作を行なうことが可能である。
【図面の簡単な説明】
【図１】  本発明の第１の実施の形態の内視鏡装置の全体構成を示す全体構成図である。
【図２】  図１の内視鏡挿入部の先端部側を示す斜視図である。
【図３】  図２の内視鏡挿入部の先端部に装着するガイドカテーテル固定具を示す説明図である。
【図４】  図３（ｂ）のガイドカテーテル固定保持部の先端側に形成した縮径部が貫通するように構成したガイドカテーテル固定具の断面図である。
【図５】  本発明の第１の実施の形態の留置チューブの留置方法を説明する説明図である。
【図６】  図３の他の変形例を示すガイドカテーテル固定具の説明図である。
【図７】  図６の他の変形例を示すガイドカテーテル固定具の説明図である。
【図８】  図７の他の変形例を示すガイドカテーテル固定具の説明図である。
【図９】  本発明の第２の実施の形態を備えた内視鏡挿入部の先端部側を示す斜視図である。
【図１０】  図９の内視鏡挿入部の先端部に装着するカテーテル固定具を示す説明図である。
【図１１】  留置チューブの留置方法を説明する内視鏡挿入部の先端部側を示す説明図である。
【図１２】  本発明の第３の実施の形態に係るガイドワイヤの留置方法を説明する内視鏡の挿入部先端側を示す説明図である。
【符号の説明】
１  …内視鏡装置
２  …内視鏡
１１  …挿入部
１３  …操作部
２１  …先端部
３０  …ガイドカテーテル（ガイド部材）
３１ａ〜３１ｅ…ガイドカテーテル固定具
３２  …内視鏡先端取付孔
３３ａ〜３３ｅ…ガイドカテーテル固定保持部
４１  …ガイドワイヤ
４２  …留置チューブ
【図１】
0003939158.tif 000002
【図２】
0003939158.tif 000003
【図３】
0003939158.tif 000004
【図４】
0003939158.tif 000005
【図５】
0003939158.tif 000006
【図６】
0003939158.tif 000007
【図７】
0003939158.tif 000008
【図８】
0003939158.tif 000009
【図９】
0003939158.tif 000010
【図１０】
0003939158.tif 000011
【図１１】
0003939158.tif 000012
【図１２】
0003939158.tif 000013